(57)【要約】【課題】これまで実現できなかった小孔部からなるメッシュ構造を提供して、そこでの異物通過阻止範囲を広げ、また、そこでの泡の小型化，均質化を図ることを目的とする。【解決手段】孔部１２ｆの形成に際してのサイズや形状などに関する金型要件を、メッシュ構造作成用の一対の金型の双方に負担させたものである。孔部１２ｆは、上層ブリッジ１２ｂ同士の離間域１２ｃと下層ブリッジ１２ｄ同士の離間域１２ｅとを上下方向に貫通する空間域である。孔部１２ｆのＬ１は離間域１２ｃの幅、またＬ２は離間域１２ｅの幅である。離間域１２ｃは一方の金型で成形されて、離間域１２ｅは他方の金型で成形される。この成形部分（金型）はそれぞれ連続した所定長の凸部になっているので、孔部１２ｆを小さくする（例えばＬ１，Ｌ２を0.2ｍｍ以下）ために当該凸部の幅を狭くしても、従来のピン形状の金型の場合とは違って、その必要強度が確保される。【選択図】図２
2006027636.tif 000002
【特許請求の範囲】
【請求項１】
容器内部から外部空間にいたる内容物放出用通路の一部を構成し、かつ一体成形されたメッシュ構造において、
上層側の第１のブリッジ状部と、
前記第１のブリッジ状部に接して、かつ交差する下層側の第２のブリッジ状部と、
前記第１のブリッジ状部同士の離間部分および前記第２のブリッジ状部同士の離間部分が貫通した形の孔部と、
を少なくとも有することを特徴とする内容物放出用のメッシュ構造。
【請求項２】
前記第１のブリッジ状部および前記第２のブリッジ状部，前記孔部が、内容物通過用のチューブとその下流側のハウジングとをそれぞれ接続する筒状部の内部通路域に形成された防塵用のものである、
ことを特徴とする請求項１記載の内容物放出用のメッシュ構造。
【請求項３】
前記内容物放出用通路の一部が、容器本体の内容物収納空間域から続く内容物経路と、外部空間から続く泡立て用のエア経路との合流部以降の下流側通路域である、
ことを特徴とする請求項１記載の内容物放出用のメッシュ構造。
【請求項４】
請求項１または２記載のメッシュ構造を備え、かつ、放出用ガスおよび内容物を容器本体に収容した、
ことを特徴とするエアゾール式製品。
【請求項５】
請求項１乃至３記載のメッシュ構造を備え、かつ、内容物を容器本体に収容した、
ことを特徴とするポンプ式製品。
【発明の詳細な説明】
【技術分野】
【０００１】
本発明は、エアゾール式製品やポンプ式製品の作動モードで外部空間に放出される内容物の通路部に形成したメッシュ構造に関する。
【０００２】
特に、（本来の放出対象の内容物よりも大きなサイズからなる）異物の通過を阻止する防塵用や、内容物中の泡をできるだけ均質できめ細かなものにする泡対応用などとしてのメッシュ構造に関し、内容物通過用の孔部自体のサイズを小さく（例えば0.2ｍｍ以下）して、かつ当該孔部に対応する金型部分の強度を確保しやすくしたものである。
【０００３】
また、この内容物放出用のメッシュ構造を備えたエアゾール式およびポンプ式の各製品も対象とする。なお、本明細書で用いる「ポンプ式」とは、利用者が、操作部や、容器の一部（周面部分など）などを例えば押圧することにより内容物収納空間の容積が小さくなって、その中の内容物が外部空間に放出される方式を示しており、いわゆる押出式，チューブ式なども含む概念である。
【背景技術】
【０００４】
従来の、容器内の内容物放出用通路の一部に異物通過阻止用のメッシュ構造を設けたエアゾール式製品としては、例えば下記の特許文献１で開示のものがある。
【０００５】
このメッシュ構造は、ステムを収納保持する内側空間域や内容物通過用チューブを嵌合保持する下側筒状部などからなるハウジングの底面部分に設けられており、成形用金型のピンに対応した形の複数の孔部を有している。なお、この異物通過阻止用のメッシュ構造自体がポンプ式製品の場合にも適用されえることは勿論である。
【０００６】
また、容器内の内容物放出用通路の一部に整泡用のメッシュ構造を備えた泡噴出ポンプ式製品としては、例えば下記の特許文献２で開示のものがある。
【０００７】
なお、整泡用（泡均一化用）のメッシュ構造は、容器本体の内容物収納空間域から続く内容物経路と、外部空間から続く泡立て用のエア経路との合流部以降の下流側通路域（＝内容物放出用通路の一部）に設けられている。
【特許文献１】特開平１０−１４７３８４号公報
【特許文献２】特開２００４−５７８９１号公報
【発明の開示】
【発明が解決しようとする課題】
【０００８】
上記各公報で開示されるメッシュ構造は一定の異物通過阻止機能や整泡機能を有している。
【０００９】
しかしながら、従来のエアゾール式製品やポンプ式製品などにおけるメッシュ構造の場合、複数孔部それぞれの径を小さくする上での金型サイドの制約が内在しており、通過阻止対象の異物サイズの下限値や、整泡後の放出対象泡サイズの上限値を小さくしていくことが難しいという問題点があった。
【００１０】
その理由は以下の通りである。
(1)先ず、複数孔部の一般的な作成手法である金型成形加工においてこの孔部サイズを決定するのは、一対の金型の一方の対向面部分に飛び飛びの形で設けたピンの形状である。
(2)この複数ピンの形状（金型）は相互に連続したものではなく、それぞれが独立した飛び飛びのものとなっているので、金型のピン部分の径を小さくしようとすればするほど当該ピン部分の強度が弱くなりやすい。また、その制作も難しくなる。
(3)そのため、当該複数孔部の小サイズ化には金型の当該ピン形状に基づく限界点があり、本件出願人の検証によれば、径0.23ｍｍ程度が当該小サイズ化の下限のようである。
【００１１】
本発明は、放出内容物に対する防塵や泡均一化などの機能要素として作用する複数孔部を内容物放出用通路の一部に設けるに際し、
・一対の成形金型の（従来のように一方のみではなく）双方でそれぞれ当該複数孔部の候補域ともいえる２層の空間域をその接触面で互いに交差するように形成し、
・当該２層空間域の上下方向（内容物の流れ方向）にまたがる貫通域を当該複数孔部として利用すれば、
金型部分のサイズ・形状などの制約を特にきびしくすることなしに、今まで以上に小さなサイズの孔部からなる内容物放出用のメッシュ構造を形成できることに着目したものである。
【００１２】
すなわち、複数孔部からなるメッシュ構造の一体成形に際しての当該孔部のサイズや形状などに関する金型サイドの必要条件を、一体成形用の一対の金型の双方でいわば相乗的に負担することにより、これまでは実現できなかった小サイズの孔部からなるメッシュ構造を提供してその異物通過阻止範囲を広げることを目的とする。
【００１３】
また、このメッシュ構造を泡立ち状態の内容物の通路部に設けて、外部空間に放出される当該内容物中の泡の小型化，均質化を図ることを目的とする。
【課題を解決するための手段】
【００１４】
本発明は、以上の課題を次のようにして解決する。
（１）容器内部から外部空間にいたる内容物放出用通路の一部を構成し、かつ一体成形されたメッシュ構造（例えば後述の防塵用メッシュ構造１２，１３，整泡用メッシュ構造９５ｂ，９５ｄ）において、上層側の第1のブリッジ状部（例えば後述の上層ブリッジ１２ｂ，１３ｂ）と、前記第1のブリッジ状部に接して、かつ交差する下層側の第２のブリッジ状部（例えば後述の下層ブリッジ１２ｄ，１３ｄ）と、前記第1のブリッジ状部同士の離間部分（例えば後述の離間域１２ｃ，開口域１３ｃ）および前記第２のブリッジ状部同士の離間部分（例えば後述の離間域１２ｅ，開口域１３ｅ）が貫通した形の異物通過阻止用の孔部（例えば後述の孔部１２ｆ，１３ｆ）と、を少なくとも設ける。
（２）上記（１）において、前記第１のブリッジ状部および前記第２のブリッジ状部，前記孔部が、内容物通過用のチューブ（例えば後述のチューブ６０）とその下流側のハウジング（例えば後述のハウジング４０）とをそれぞれ接続する筒状部（例えば後述の中間部材１０）の内部通路域に形成された防塵用のものとする。
（３）上記（１）において、前記内容物放出用通路の一部として、容器本体の内容物収納空間域（例えば後述の容器本体９１，内容物収納域１０１ａ）から続く内容物経路（例えば後述の内容物通路１０４）と、外部空間から続く泡立て用エア経路（例えば後述の空気通路１０５）との合流部（例えば後述の混合室１０６）以降の下流側通路域（例えば後述の泡立ち内容物通路１０７）を用いる。
【００１５】
本発明は、このような構成からなるメッシュ構造や、さらにはこれを用いたエアゾール式製品およびポンプ式製品を対象としている。
【発明の効果】
【００１６】
このように、本発明では、メッシュ構造の孔部を、上層側のブリッジ状部間の離間部分と下層側のブリッジ状部間の離間部分との一部同士が貫通した形にすることにより、当該孔部の小型化に際しての成形金型側に対するサイズや形状などの制約を一対の金型の双方で分担している。
【００１７】
そのため、これらブリッジ状部を成形する金型部分の強度を所定範囲に保ちつつ、これまで以上に小サイズの孔部からなるメッシュ構造を内容物放出用通路の一部に設けて、当該通路を通過できない異物サイズの下限をより小さくする、すなわち内容物に含まれる異物が外部空間に放出されるのを効率的に阻止したり、内容物における泡を小さくてきめの細かい均質なものにしたりすることができる。
【００１８】
また、異物通過阻止用の孔部および、上層側のブリッジ状部，下層側のブリッジ状部などを筒状部の中に形成しているので、当該筒状部に既存のハウジングやチューブを取り付けて当該ハウジングなどの有効利用を図ることができる。
【発明を実施するための最良の形態】
【００１９】
図１乃至図６を用いて本発明の実施の形態を説明する。
【００２０】
なお、本願発明の防塵用メッシュ構造はエアゾール式製品およびポンプ式製品のいずれにも使用されるものであるが、図１〜図５では、単なる説明の便宜上、エアゾール式製品を前提としている。
【００２１】
図１乃至図６において、
図１は、防塵用メッシュ構造を用いたエアゾール式製品の概要を示し、
図２は、防塵用メッシュ構造（その１）を示し、
図３は、図２の防塵用メッシュ構造の成形用金型の要部を示し、
図４は、防塵用メッシュ構造（その２）を示し、
図５は、図４の防塵用メッシュ構造の成形用金型の要部を示し、
図６は、整泡用メッシュ構造を用いた泡放出ポンプ式製品の概要を示している。
【００２２】
図１〜図５において、
１０は防塵用メッシュ構造を内部に形成した中間部材，
１１は中間部材１０の上側部分で後述のハウジング４０と嵌合する大径筒状部，１１ａは嵌合保持用の環状突状部，
１２は中間部材１０の内部空間域に形成された防塵用メッシュ構造（その１），１２ａは当該メッシュ構造の環状基部，１２ｂはそれぞれが当該環状基部間の第１の方向に略平行に形成された上層ブリッジ，１２ｃは当該上層ブリッジ同士の離間域，１２ｄはそれぞれが当該環状基部間の第２の方向（＝第１の方向と略直交する方向）に略平行に形成された下層ブリッジ，１２ｅは当該下層ブリッジ同士の離間域，１２ｆはこの離間域１２ｃおよび１２ｅのそれぞれを上下方向に貫通する形の異物通過阻止用の孔部，
１３は中間部材１０の内部空間域に形成された防塵用メッシュ構造（その２），１３ａは当該メッシュ構造の環状基部，１３ｂは当該環状基部間に形成された格子状の上層ブリッジ，１３ｃは当該上層ブリッジの開口域，１３ｄは当該環状基部間に当該上層ブリッジと交差する態様で形成された格子状の下層ブリッジ，１３ｅは当該下層ブリッジの開口域，１３ｆはこの開口域１３ｃおよび１３ｅのそれぞれを上下方向に貫通する形の異物通過阻止用の孔部，
１４は筒状部材１０の下側部分で後述のチューブ６０と嵌合する小径筒状部，１４ａは嵌合保持用の環状段部，
２０は内容物および放出用ガスを収納したエアゾール容器の容器本体，
３０はエアゾール容器２０に取り付けられたマウンティングカップ，
４０はマウンティングカップ３０に取り付けられたハウジング，４０ａは当該ハウジングの内部に形成した底面孔部，
５０はハウジング４０に収納保持されたステム，
６０は小径筒状部１４に取り付けられて作動モード時にその中を内容物が通過するチューブ，
７１は防塵用メッシュ構造１２（図２参照）の環状基部１２ａおよび上層ブリッジ１２ｂ，離間域１２ｃを成形するための一方の金型，７１ａは環状基部１２ａの成形用テーパ面，７１ｂは上層ブリッジ１２ｂの成形用溝部，７１ｃは離間域１２ｃの成形用凸状部，
７２は防塵用メッシュ構造１２（図２参照）の環状基部１２ａおよび下層ブリッジ１２ｄ，離間域１２ｅを成形するための他方の金型，７２ａは環状基部１２ａの成形用テーパ面，７２ｂは下層ブリッジ１２ｄの成形用溝部，７２ｃは離間域１２ｅの成形用凸状部，
８１は防塵用メッシュ構造１３（図４参照）の環状基部１３ａおよび上層ブリッジ１３ｂ，開口域１３ｃを成形するための金型，８１ａは環状基部１３ａの成形用テーパ面，８１ｂは上層ブリッジ１３ｂの成形用溝部，８１ｃは開口域１３ｃの成形用凸状部，
８２は防塵用メッシュ構造１３（図４参照）の環状基部１３ａおよび下層ブリッジ１３ｄ，開口域１３ｅを成形するための金型，８２ａは環状基部１３ａの成形用テーパ面，８２ｂは下層ブリッジ１３ｄの成形用溝部，８２ｃは開口域１３ｅの成形用凸状部，
Ｌ１およびＬ２は防塵用メッシュ構造１２の孔部１２ｆのサイズ（内容物通過方向と直交する孔部断面の縦，横の長さ），
Ｌ３およびＬ４は防塵用メッシュ構造１３の孔部１３ｆのサイズ（内容物通過方向と直交する孔部断面の縦，横の長さ），
をそれぞれ示している。
【００２３】
ここで、防塵用メッシュ構造１２，１３の上層ブリッジ１２ｂ，１３ｂはともに上に凸の態様であり、下層ブリッジ１２ｃ，１３ｃはともに下に凸の態様になっている。そして、上層ブリッジ１２ｂ，１３ｂの底面部分と下層ブリッジ１２ｃ，１３ｃの上面部分とは接触状態になっている。
【００２４】
また、金型７１，７２の成形用凸状部７１ｃ，７２ｃはそれぞれの一つ一つが連続した凸状壁部である。そのため当該成形用凸状部の幅を小さくしても、すなわち防塵用メッシュ構造１２の離間域１２ｃおよび１２ｅの幅を小さく設定するようにしても、十分な金型強度を確保することができる。
【００２５】
図１で示すように、防塵用メッシュ構造１２，１３（筒状の中間部材１０）は内容物通路、すなわち容器本体２０の内部空間からチューブ６０−ハウジング４０−ステム５０−放出口（図示省略）を経て外部空間に至る内容物通路の一部に設けられている。
【００２６】
なお、この内容物通路の各構成要素や、ステム５０を押下げ操作したときに内容物が外部空間に放出される機構などはそれぞれ周知である。
【００２７】
中間部材１０の大径筒状部１１はその環状突状部１１ａの部分がハウジング４０の下側筒状部の外周面に係止され、また中間部材１０の小径筒状部１４はその環状段部１４ａの部分でチューブ６０の内周面を係止している。
【００２８】
中間部材１０やハウジング４０の材質はポリエチレンテレフタレート，ポリブチレンテレフタレート，ポリエチレン，ポリプロピレン，ポリアセタール，ナイロンなどのプラスチックである。
【００２９】
大径筒状部１１を係止したハウジング４０は自らのプラスチック性状に基づいて環状突状部１１ａの対応部分が凹んだ形となる。なお、この対応部分に凹状部を形成済みのハウジングを用いてもよい。
【００３０】
図２の防塵用メッシュ構造１２における異物通過阻止用の孔部１２ｆのサイズＬ１，Ｌ２はそれぞれ離間域１２ｃ，１２ｅの幅によって規定される。
【００３１】
この幅を決めるのは金型７１，７２の成形用凸状部７１ｃ，７２ｃである。これらの凸状部はそれぞれ、従来の孔部成形用の金型のピン形状とは違って、個々に連続したいわば起立壁の形状をとっているので、当該凸状部の幅を小さくしてもその強度を確保することができる。すなわち金型７１，７２の成形用凸状部７１ｃ，７２ｃが欠けたりすることはない。
【００３２】
この金型７１，７２を用いることにより、防塵用メッシュ構造１２の孔部１２ｆのサイズＬ１，Ｌ２を0.01ｍｍ程度まで小さくすることができた。
【００３３】
また、図４の防塵用メッシュ構造１３における異物通過阻止用の孔部１３ｆのサイズＬ３，Ｌ４はそれぞれ開口域１３ｃ，１３ｅのいわばずれの程度によって規定される。
【００３４】
このずれを決めるのは、金型８１の形成用凸状部８１ｃと金型８２の形成用凸状部８２ｃとの位置関係であって、これら凸状部自体のサイズではない。
【００３５】
ちなみに従来の孔部成形用の金型の場合は、まさにこの凸状部自体の大きさが孔部の径サイズであり、これを小さくするためには金型の凸状部自体を小さくするしかなく、そうすれば上述のように凸状部の強度低下という問題が必然的に生じてしまうという自己矛盾的な要素を内在している。
【００３６】
一方、防塵用メッシュ構造１３の場合は、金型８１の成形用凸状部８１ｃと金型８２の成形用凸状部８２ｃとの位置関係によって異物通過阻止用の孔部１３ｆのサイズＬ３，Ｌ４が決まる。
【００３７】
すなわち、成形用凸状部８１ｃおよび成形用凸状部８２ｃそれぞれのサイズとは別の要素である上述の「ずれ」によって、孔部１３ｆのサイズＬ３，Ｌ４を任意に設定することができる。
【００３８】
この金型８１，８２を用いることにより、防塵用メッシュ構造１３の孔部１３ｆのサイズＬ３，Ｌ４を0.01ｍｍ程度まで小さくすることができた。
【００３９】
以上の説明では、容器内容物の防塵機構としての防塵用メッシュ構造１２，１３を筒状の中間部材１０の内部空間域に一体成形したものとしている。
【００４０】
当該防塵用メッシュ構造はこれに限定されるものではなく、例えばハウジング４０の底面孔部４０ａの部分にこれに代わる態様で当該ハウジングと一体成形してもよい。このとこの中間部材１０は不要となる。
【００４１】
また、チューブ６０の内部空間域に当該チューブとともに一体成形してもよい。さらには、この防塵用メッシュ構造をいわば単独で一体成形して上述の内容物通路の任意の箇所に取り付けるようにしてもよい。
【００４２】
図６の泡放出ポンプ式製品において、
９１は例えばシャンプー，ハンドソープ，洗顔料，整髪料などの（泡状化対象）内容物を収納した容器本体，
９２は容器本体９１と螺子結合して取外し自在なカバー体（ネジキャップ），
９３は利用者の操作に基づいてカバー体９２に案内されながら上下動する放出操作部材（ピストン），９３ａは当該放出操作部材とカバー体９２との（外気通過用の）隙間，
９４は放出操作部材９３の上流側通路域に嵌合態様で取り付けられた上側中間ピストン，９４ａは当該上側中間ピストンの内周面の周方向に飛び飛びに形成された縦リブ，９４ｂは泡立ち内容物が通過する孔部，
９５は上側中間ピストン９４の下流側通路域に嵌合態様で取り付けられた整泡用のメッシュ機構，９５ａは上側ユニット，９５ｂは当該上側ユニットの整泡用メッシュ構造，９５ｃは当該上側ユニットと同一構成の下側ユニット，９５ｄは当該下側ユニットの整泡用メッシュ構造，
９６は上側中間ピストン９４に嵌合態様で取り付けられた下側中間ピストン，９６ａは当該下側中間ピストンの上端部の周方向に間歇的に形成された切欠き部，
９７は下側中間ピストン９６の上流側通路域に嵌合態様で取り付けられたステム（ピストン），９７ａは容器本体の内容物が通過する孔部，
９８は内容物に対するＨ型断面の環状吐出弁，９８ａは当該吐出弁の内側下端部，
９９は内容物に対するボール状吸込弁，
１００は泡立て用空気に対するＨ型断面の環状エア弁，１００ａは当該環状エア弁の最内側下端部，１００ｂは当該環状エア弁の内側上端部，１００ｃは当該環状エア弁の外気通過用の孔部，
１０１はハウジング，１０１ａは内容物収納域，１０１ｂは空気収納域，
１０２は内容物収納域１０１ａに設けられてステム９７を上方向に付勢するコイル状のスプリング，
１０３は内容物吸込み用のチューブ，
１０４は吐出弁９８の下流側に続く態様でステム９７および下側中間ピストン９６に形成された内容物通路，
１０５は環状エア弁１００の下流側に続く態様で上側中間ピストン９４と下側中間ピストン９６との間に形成された空気通路，
１０６は内容物通路１０４と空気通路１０５とが合流する泡立て用の混合室，
１０７は混合室１０６から放出用ノズル（図示省略）にいたる泡立ち内容物通路，
をそれぞれ示している。
【００４３】
ここで、上側ユニット９５ａの整泡用メッシュ構造９５ｂおよび下側ユニット９５ｃの整泡用メッシュ構造９５ｄはそれぞれ図２，図４の各防塵用メッシュ構造１２，１３と同様の形態，材質のものである。
【００４４】
図６は泡放出ポンプ式製品の内容物放出状態を示している。放出操作部材９３に対する押圧操作にともなって図示の内容物放出状態を設定する機構は周知のものである。
【００４５】
図６のポンプ式製品の静止モード（図示省略）においては、
・操作部材などのヘッド部（放出操作部材９３および、これと一体の上側中間ピストン９４，メッシュ機構９５，下側中間ピストン９６，ステム９７）はスプリング１０２の弾性作用によって上方向に移動しており、
・吐出弁９８はその内側下端部９８ａがステム９７の外面と密接して、内容物収納域１０１ａと内容物通路１０４とは遮断されており、
・環状エア弁１００はその最内側下端部１００ａが下側中間ピストン９６の外面と密接して、かつその内側上端部１００ｂが上側中間ピストン９４の外面から離れて、空気収納域１０１ｂと外部空間とは孔部１００ｃを介して連通している。
【００４６】
なお、ボール状吸込弁９９は、前回の作動モードから静止モードに復帰する（上記ヘッド部が上動する）際の内容物収納域１０１ａの容量増加にともなうそこでの内容物圧力の低下により、その上流側のチューブ１０３の内容物の圧力を受けて浮上する。
【００４７】
この浮上の結果、ボール状吸込弁９９は開いてチューブ１０３の内容物が内容物収納域１０１ａに流入する。そして、当該収納域の内容物圧力がチューブ１０３のそれと略バランスした時点でボール状吸込弁９９は下降して閉状態となる。
【００４８】
このように静止モードでは、内容物収納域１０１ａには容器本体９１の内容物がチューブ１０３を介して入り込み、空気収納域１０１ｂには外部空間の空気が環状エア弁１００の孔部１００ｃを介して入り込んだ状態になっている。また、これらの内容物や空気が内容物通路１０４や空気通路１０５のほうに流入移動することはない。
【００４９】
また、空気収納域１００ｂとステム９７の孔部９７ａとの間は、環状吐出弁９８（の内側上端部）の下側中間ピストン９６に対するシール作用により遮断されている。
【００５０】
次に、利用者の操作により静止モードのヘッド部（放出操作部材９３および、これと一体の上側中間ピストン９４，メッシュ機構９５，下側中間ピストン９６，ステム９７）が押し下げられると、環状吐出弁９８およびボール状吸込弁９９，環状エア弁１００はそれぞれ図６の放出状態に遷移する。
【００５１】
この遷移過程では、ステム９７および環状吐出弁９８が下動するのにともない内容物収納域１０１ａの容積が小さくなってそこでの内容物圧力が大きくなるため、環状吐出弁９８はステム９７との関係で相対的に上昇してその内側下端部９８ａとステム９７の外面とのそれまでの閉状態が開状態へと変化し、かつボール状吸込弁９９は閉状態を維持し、これにより当該収納域の内容物がステム９７の孔部９７ａおよび内容物通路１０４を経て混合室１０６へと送られる。
【００５２】
また、上側中間ピストン９４および環状エア弁１００が下動するのにともない空気収納域１０１ｂの容積が小さくなってそこでの空気圧力が大きくなるため、環状エア弁１００は上側中間ピストン９４との関係で相対的に上昇して、その内側上端部１００ｂと上側中間ピストン９４の外面とのそれまでの開状態が閉状態へと変化するとともに、その最内側下端部１００ａと下側中間ピストン９６の外面とのそれまでの閉状態が開状態へと変化し、これにより当該収納域の空気が空気通路１０５を経て混合室１０６へと送られる。
【００５３】
そして、混合室１０６で空気と混じりあって泡立ち状態となった内容物は上側中間ピストン９４の孔部９４ａおよびメッシュ機構９５を通過する形で泡立ち内容物通路１０７へと送られ、外部空間に放出される。
【００５４】
このように泡立ち内容物通路１０７の一部にメッシュ機構９５を設けることにより、外部空間に放出される内容物の泡を細かで均質なものにしている。
【００５５】
本発明が適用されるエアゾール式製品やポンプ式製品としては、洗浄剤，清掃剤，制汗剤，冷却剤，筋肉消炎剤，ヘアスタイリング剤，ヘアトリートメント剤，染毛剤，育毛剤，化粧品，シェービングフォーム，食品，液滴状のもの（ビタミンなど），医薬品，医薬部外品，塗料，園芸用剤，忌避剤（殺虫剤），クリーナー，消臭剤，洗濯のり，ウレタンフォーム，消火器，接着剤，潤滑剤などの各種用途のものがある。
【００５６】
容器本体に収納する内容物は、例えば、粉状物，油成分，アルコール類，界面活性剤，高分子化合物，各用途に応じた有効成分などである。
【００５７】
粉状物としては、金属塩類粉末，無機物粉末や樹脂粉末などを用いる。例えば、タルク，カオリン，アルミニウムヒドロキシクロライド（アルミ塩），アルギン酸カルシウム，金粉，銀粉，雲母，炭酸塩，硫酸バリウム，セルロース，これらの混合物などを用いる。
【００５８】
油成分としては、シリコーン油，パーム油，ユーカリ油，ツバキ油，オリーブ油，ホホバ油，パラフィン油，ミリスチン酸，パルミチン酸，ステアリン酸，リノール酸，リノレン酸などを用いる。
【００５９】
アルコール類としては、エタノールなどの１価の低級アルコール，ラウリルアルコールなどの１価の高級アルコール，エチレングリコールなどの多価アルコールなどを用いる。
【００６０】
界面活性剤としては、ラウリル硫酸ナトリウムなどのアニオン性界面活性剤、ポリオキシエチレンオレイルエーテルなどの非イオン性界面活性剤、ラウリルジメチルアミノ酢酸ベタインなどの両性界面活性剤、塩化アルキルトリメチルアンモニウムなどのカチオン性界面活性剤などを用いる。
【００６１】
高分子化合物としては、メチルセルロース，ゼラチン，デンプン，カゼインなどを用いる。
【００６２】
各用途に応じた有効成分としては、サリチル酸メチル，インドメタシンなどの消炎鎮痛剤、安息香酸ナトリウム，クレゾールなどの除菌剤、ヒレスロイド，ジエチルトルアミドなどの害虫忌避剤、酸化亜鉛などの制汗剤、カンフル，メントールなどの清涼剤、エフェドリン，アドレナリンなどの抗喘息薬、スクラロース，アスパルテームなどの甘味料、エポキシ樹脂，ウレタンなどの接着剤や塗料、パラフェニレンジアミン，アミノフェノールなどの染料，リン酸二水素アンモニウム，炭酸水素ナトリウム・カリウムなどの消火剤などを用いる。
【００６３】
さらに、上記内容物以外の、懸濁剤，紫外線吸収剤，乳化剤，保湿剤，酸化防止剤、金属イオン封鎖剤なども用いることができる。
【００６４】
エアゾール式製品における内容物放出用ガスとしては、炭酸ガス，窒素ガス，圧縮空気，酸素ガス，希ガス，これらの混合ガスなどの圧縮ガスや、液化石油ガス，ジメチルエーテル，フロロカーボンなどの液化ガスを用いる。
【図面の簡単な説明】
【００６５】
【図１】本発明の、防塵用メッシュ構造を用いたエアゾール式製品の概要を示す説明図である。
【図２】本発明の、防塵用メッシュ構造（その１）を示す説明図である。
【図３】本発明の、図２の防塵用メッシュ構造の成形用金型の要部を示す説明図である。
【図４】本発明の、防塵用メッシュ構造（その２）を示す説明図である。
【図５】本発明の、図４の防塵用メッシュ構造の成形用金型の要部を示す説明図である。
【図６】本発明の、整泡用メッシュ構造を用いた泡放出ポンプ式製品の概要を示す説明図である。
【符号の説明】
【００６６】
１０：防塵機構を構成する筒状の中間部材
１１：大径筒状部
１１ａ：環状突状部
１２：防塵用メッシュ構造（その１）
１２ａ：環状基部
１２ｂ：上層ブリッジ
１２ｃ：上層ブリッジ同士の離間域
１２ｄ：下層ブリッジ
１２ｅ：下層ブリッジ同士の離間域
１２ｆ：異物通過阻止用の孔部
１３：防塵用メッシュ構造（その２）
１３ａ：環状基部
１３ｂ：格子状の上層ブリッジ
１３ｃ：上層ブリッジの開口域
１３ｄ：格子状の下層ブリッジ
１３ｅ：下層ブリッジの開口域
１３ｆ：異物通過阻止用の孔部
１４：小径筒状部
１４ａ：環状段部
２０：エアゾール容器の容器本体
３０：マウンティングカップ
４０：ハウジング
４０ａ：底面孔部
５０：ステム
６０：チューブ
７１，７２，８１，８２：金型
７１ａ，７２ａ，８１ａ，８２ａ：成形用テーパ面
７１ｂ，７２ｂ，８１ｂ，８２ｂ：成形用溝部
７１ｃ，７２ｃ，８１ｃ，８２ｃ：成形用凸状部
Ｌ１，Ｌ２：孔部１２ｆのサイズ
Ｌ３，Ｌ４：孔部１３ｆのサイズ
９１：（泡状化対象）内容物を収納した容器本体
９２：カバー体（ネジキャップ）
９３：放出操作部材（ピストン）
９３ａ：外気通過用の隙間
９４：上側中間ピストン
９４ａ：縦リブ
９４ｂ：泡立ち内容物通過用の孔部
９５：整泡用のメッシュ機構
９５ａ：上側ユニット
９５ｂ：上側ユニットの整泡用メッシュ構造
９５ｃ：上側ユニットと同一構成の下側ユニット
９５ｄ：下側ユニットの整泡用メッシュ構造
９６：下側中間ピストン
９６ａ：上端部の周方向に間歇的に形成された切欠き部
９７：ステム（ピストン）
９７ａ：内容物通過用の孔部
９８：Ｈ型断面の環状吐出弁
９８ａ：内側下端部
９９：ボール状吸込弁
１００：Ｈ型断面の環状エア弁
１００ａ：最内側下端部
１００ｂ：内側上端部
１００ｃ：外気通過用の孔部
１０１：ハウジング
１０１ａ：内容物収納域
１０１ｂ：空気収納域
１０２：コイル状のスプリング
１０３：内容物吸込み用のチューブ
１０４：内容物通路
１０５：空気通路
１０６：泡立て用の混合室
１０７：泡立ち内容物通路
【図１】
2006027636.tif 000003
【図２】
2006027636.tif 000004
【図３】
2006027636.tif 000005
【図４】
2006027636.tif 000006
【図５】
2006027636.tif 000007
【図６】
2006027636.tif 000008